(57)【要約】      （修正有）【課題】セキュリティー機能付きのマルチ機能付きのメディア対応の今後の新しいデジタルネットワーク、インターネットのサーバーに対応するシステムを提供する。【解決手段】セキュリティー機能付きの通信機器と映像機器をシステムユニット商品として構成し、住宅管理と監視を双方のあいだで行なえる、ネットワークシステム通信設備機器と映像機器と郵便ポスト付き宅配ボックスを設置接続することにより、特定の郵便封書の配達やまたは宅配便の配達の際、留守や不在時でも、インターネット接続通信システムを利用して、双方で確認が行なえる携帯モニタリングシステムを備えており、外出先からの遠隔監視と管理が行なえる。【選択図】なし【特許請求の範囲】
【請求項１】
本考案は、セキュリティー機能付きの通信機器と映像機器をシステムユニット商品として構成し、住宅管理と監視を双方のあいだで行なえる、ネットワークシステム通信設備機器と映像機器と郵便ポスト付き宅配ボックスを設置接続することにより、特定の郵便封書の配達やまたは宅配便の配達の際、留守や不在時でも、インターネット接続通信システムを利用して、双方で確認が行なえる携帯モニタリングシステムを備えており、外出先からの遠隔監視と管理が行なえるセンサーカメラのシステムによる、日常の生活にも便利な防犯と管理機能を備えており、更に県外および国外の方と映像機器で（テレビ・パソコン・ビデオ）通話も楽しめることが出来る、ニューホームライフネットワークとしてのマルチメディアシステムに関するものである。
【発明の詳細な説明】
【技術分野】
【０００１】本考案は、マルチメディア機能とセキュリティー機能を兼ね備えた通信機器と映像機器を住宅内に設置し、住宅外の通信映像機能付き宅配ボックスに接続設置した、「プロトＴＭ」マルチメディアシステムに関するものである。
【背景技術】
【０００２】現在日本は、災害のため産業、工業、商業、金融、経済界全体が停滞しており、住宅等の建設も停滞しています。宅配ボックスの設置に関しても立地条件や住宅の建築状況によって条件が異なり、また用途や形式もさまざまである。なによりも、長引く不況と震災の影響で郵便や宅配便の宅配需要も少ない状況である。
【発明の開示】
【発明が解決しようとする課題】
【０００３】現在、日本の住宅生活事情と環境は、ＩＴ技術の発達に伴って電気、通信事業が先行した形で、人々の生活上欠かせない製品を情報メディアとしてまた娯楽用としての製品づくりに取り組んでおり、携帯電話、テレビ、ビデオパソコン、カメラ、ファックスなどのデジタル商品も豊富である。
生活環境も地域によって整備事業が進んでおらず、生活上での不便を感じている方もおられます。
住宅業界も省エネルギーの対策に取り組んだ家づくり、環境を配慮した品質管理から施工に関する、耐震性、安全性、耐入性、快適性などを追求した高性能、高品質の住まいづくりを提案し、各メーカーが豊富なプランやデザインを提供しています。住宅の建築，改築時に宅配ボックスの設置を採り入れて頂き、ネットワークシステムとネットワークサーバーを配備し防犯システムも充実した環境へ、政府、郵便、宅配運送事業、電話通信事業、住宅事業、提携オンラインサービス、デリバリーサービスが向上し地域の活性化を促すこと。
【課題を解決するための手段】
【０００４】本考案は、セキュリティー機能付きのセンサーカメラ、テレビドアホン、マルチメディアシステム機能付きのデジタルテレビ、ブルーレイディスクレコーダー、パソコンなどの映像機器、宅配ボックス、ファックス電話機、無線ＬＡＮ・アダプターで接続した、テレビをみながら、自宅の部屋の中から訪問者や郵便宅配便の配達デリバリーサービスなどの確認、配達の際に留守、不在の時でも配達品の受け取りの確認が行なえる、携帯モニタリング機能付きの外出先からの自宅内外の遠隔監視と画像確認が出来る、ネットワークサーバー経由のシステムを利用した優れた住宅用セキュリティー機能を備えたプロトタイプのマルチメディアである。
【発明の効果】
【０００５】宅配ボックス本体は、ドアホンカメラ付き、郵便ポスト付きで市販されているが、建築の需要が少ないこともあり、商品の需要も少ないのが課題でもある。住宅の建築販売等が活性するための解決手段の方法としては本件要約書に記載し記述の方法であります。
メーカーの優れた知識と技術で生産された設備機器を、日常の生活に便利なセキュリティー機能付きであり、またテレビで通話もできる新規の住宅用マルチメディアシステム商品として、国外、県外地方にいる家族や親戚友人の間でも楽しめる商品として、日常の生活に便利な、ニューライフネットワーク「プロト」マルチメディアシステム商品として、販売展開を行なう。
【発明を実施するための最良の形態】
【０００６】宅配ボックス本体の施置にテレビドアホン、ファックス電話、ドアホン用ＰＬＣアダプター、センサーカメラ、無線ＬＡＮケーブル、デジタルテレビ、ブルーレイディスクレコーダーを接続し、パソコン、ルーターハブを配線接続する。
ホームネットワークカメラ専用録画プログラム、ＡＶ用ＰＬＣアダプター、デジタルテレビやパソコンで通話が楽しめるコミュニケーションカメラ等のオプション商品は、購入して頂く。有料ネットワークサービス「みえますねっとサービス（登録商標）」に加入する。
お客様加入の携帯電話会社の携帯電話でカメラ画像をモニタリングする。
【実施例】
【０００７】以下、添付図面に従って一実施商品参考例を説明する。
１の宅配ボックスに２のテレビドアホンファックス電話と３のセンサーカメラを４・５ドアホン用ＰＬＣアダプター（無線ＬＡＮ対応）で接続。
６のデジタルテレビと７のブルーレイディスクレコーダーと接続し、８のＡＶＣアダプター９のパソコンと１０のルーターを接続する。
【産業上の利用可能性】
【０００８】電気事業、住宅建設業、電話通信事業、公共機関、金融サービス、郵便、宅配運送業ファーストフードデリバリーサービス、小売業、各種レンタル業のサービス業などが提携するオンラインネットサービスとして利用することが出来ます。そして使い方によっては、警察庁等が防犯システムとしても利用することが出来ます。
（サービス内容の一覧）
地方自治体の証明書等ネットで申請郵送・職員配達サービス。
郵便・運送・ネット販売・郵便事業  留守でも配達から荷物引取りサービス。
金融機関お得意様の現金預かり定額積立預金・こども積立預金などの通帳お預かり・記帳後お届けサービス。老人の個人年金お届けサービス。
スーパー・ファーストフード・ドラッグストアデリバリーサービス
お母さんパートで帰りが遅れるおやつの宅配ピザ・ドリンクお届けサービス。
スーパー・ストアデリバリーサービススーパーの昼食・夕食材料宅配サービス。
ドラッグストアのカタログ・チラシ広告見て、電話・ネットで注文お届けサービス。
ＤＶＤ・ビデオレンタル業界の宅配配達から引取りサービス。
ゲーム・おもちゃ・子供用品・玩具のカタログ見て電話・ネットで注文配達サービス。
書籍・雑誌・文房具などの配達サービス。
洋服直し・クリーニング引取りから配達サービス。【０００９】産業上の利用可能性は、事業者とのサーバーネットワークでいろいろなサービスが顧客との間で行えます。
（ネットワーク産業の一覧）
政府・官・公省庁・公益法人・財団法人・社団法人地方自治体・公共機関
鉄道・バス会社・日本郵便・電力・ガス会社ＮＨＫ・放送・新聞・広告・出版
書籍・金融・証券・生命・損害保険会社・通信販売会社
娯楽・音楽・ゲーム・ソフトレンタルサービス
教育・医療・医薬・介護・冠婚葬祭サービス
外食・ファーストフード・レジャー・ホテル・旅行サービス
スーパー百貨店・コンビニエンス、ドラッグストア・ホームセンター
【図面の簡単な説明】
【００１０】
【図１】本考案の一実施商品参考例を示します。
2011259419.tif 000002
2011259419.tif 000003
【手続補正書】
【提出日】平成23年8月8日(2011.8.8)
【手続補正１】
【補正対象書類名】図面
【補正対象項目名】全図
【補正方法】変更
【補正の内容】
【図１】
2011259419.tif 000004
【図２】
2011259419.tif 000005
【図３】
2011259419.tif 000006
【図４】
2011259419.tif 000007
【手続補正２】
【補正対象書類名】明細書
【補正対象項目名】００１０
【補正方法】変更
【補正の内容】
【００１０】
【図１】１  宅配ボックスは宅配・郵便配達の際、留守番受け取り機能付き。２  センサーカメラはＬＥＤライト搭載  ３  カメラ付テレビドアホンはＬＥＤライト付カラー画面ドアホン  ４  ファックス電話子機付はファックス本体カラー画面タッチ機能  ５  ドアホンアダプターは無線ＬＡＮ
【図２】６  ブルーレイディスクレコーダーは他のテレビへのジャンプ機能搭載  ７  ＡＶアダプターは無線ＬＡＮ  ８  デジタルテレビはビデオ通話機能海外との通話も可能
【図３】９  携帯電話スマートフォンは勤務先および外出先にて自宅への訪問者と携帯電話でモニタリング確認、通話も可能。１０  デジタルメディアプレーヤーはブルーレイディスク録画、ビデオムービーカメラ録画、携帯電話動画等のリンク機能を搭載。１１  ポータブルテレビはキッチン・バスルーム用リンク機能を搭載。介護を要する家族の管理などにも対応が出来る。１２  パソコンは勤務先または委託先にて自宅外部および室内の防犯管理ができる。
【図４】１３  カーナビゲーションは自宅とのリンク機能を搭載。１４  ワールドネットプロトＴＭはマルチメディアネットワークグループによる会員へのサービス、有料料金のサービスパックの提供が受けられる。